(57)【特許請求の範囲】
【請求項１】
上面の少なくとも一部が開口したベース部材と、
前記ベース部材に設置されたスピンドルモータと、
前記スピンドルモータにより回転駆動され、情報を記録するための一枚もしくは複数枚の磁気ディスクと、
前記磁気ディスクとの間で情報の記録、再生を行う磁気ヘッドと、
前記磁気ヘッドの位置決めを行う磁気ヘッドアセンブリと、
前記ベース部材に固定され、前記スピンドルモータ、前記磁気ディスク、前記磁気ヘッド、前記磁気ヘッドアセンブリを収容する空間を形成するカバー部材と、を有する磁気ディスク装置において、
前記カバー部材の上面と前記ベース部材の側面とに被着され、前記ベース部材と前記カバー部材との間隙をシールするシート状のシール部材と、
前記ベース部材に対して脱着可能に取り付けられる少なくとも１つのカバー支持部材を備え、
前記少なくとも１つのカバー支持部材は、前記カバー部材を支持する支持部を有する、
ことを特徴とする磁気ディスク装置。
【請求項２】
請求項１に記載の磁気ディスク装置において、
前記カバー部材の縁が前記ベース部材の外周を越えることのないように、前記磁気ディスク装置を平面視した状態においては、前記カバー部材は当該前記ベース部材より小さい、
ことを特徴とする磁気ディスク装置。
【請求項３】
請求項１に記載の磁気ディスク装置において、
前記ベース部材は板金によって形成されている、
ことを特徴とする磁気ディスク装置。
【請求項４】
請求項１に記載の磁気ディスク装置において、
前記少なくとも１つのカバー支持部材は、前記ベース部材の外周から内方に延伸する上面を有し、前記上面は前記カバー部材を支持する前記支持部を構成し、
前記シール部材は、前記少なくとも１つのカバー支持部材の前記上面の一部に取り付けられる、
ことを特徴とする磁気ディスク装置。
【請求項５】
請求項１に記載の磁気ディスク装置において、
前記ベース部材の４つの隅部に対して脱着可能に取り付けられる４つの前記カバー支持部材を備え、
前記各カバー支持部材は、前記ベース部材の前記隅部から内方に延伸する上面を有し、
前記上面は前記カバー部材を支持する前記支持部を構成している、
ことを特徴とする磁気ディスク装置。
【請求項６】
請求項５に記載の磁気ディスク装置において、
前記上面は略三角形を呈している、
ことを特徴とする磁気ディスク装置。
【請求項７】
請求項５に記載の磁気ディスク装置において、
前記カバー部材は略矩形を呈し、
前記カバー部材は、前記各カバー支持部材の外周を越えることのないように設けられるとともに前記各カバー支持部材の前記上面によって支持される隅部を有し、
前記シール部材は前記各カバー支持部材の前記上面に取り付けられている、
ことを特徴とする磁気ディスク装置。
【請求項８】
請求項５に記載の磁気ディスク装置において、
前記ベース部材の前記４つの隅部は丸められており、
前記各カバー支持部材は、前記ベース部材の前記隅部の形状に合わせて形成されている、
ことを特徴とする磁気ディスク装置。
【請求項９】
請求項５に記載の磁気ディスク装置において、
前記各カバー支持部材は、前記ベース部材の前記隅部の外側に取り付けられている、
ことを特徴とする磁気ディスク装置。
【請求項１０】
請求項５に記載の磁気ディスク装置において、
前記各カバー支持部材は、前記上面の上に、当該カバー支持部材の外周に隣接する凸部を有する、
ことを特徴とする磁気ディスク装置。
【請求項１１】
請求項５に記載の磁気ディスク装置において、
前記各カバー支持部材は、その底面に前記磁気ディスクの脚となる凸部が設けられている、
ことを特徴とする磁気ディスク装置。
【請求項１２】
スピンドルモータと、一枚もしくは複数枚の磁気ディスクと、磁気ヘッドと、磁気ヘッドアセンブリとを受け入れ可能なように上面の少なくとも一部に開口が形成されたベース部材と、
前記ベース部材に取り付けられ、前記スピンドルモータと、前記磁気ディスクと、前記磁気ヘッドと、前記磁気ヘッドアセンブリとを収容する空間を形成するカバー部材と、
前記カバー部材を支持する少なくとも１つの支持部と、
前記カバー部材の上面と前記ベース部材の側面とに被着され、前記ベース部材と前記カバー部材との間隙をシールするシート状のシール部材と、
前記支持部が設けられた少なくとも１つのカバー支持部材と、を備え、
前記カバー支持部材は前記ベース部材に対して脱着可能に取り付けられている、
ことを特徴とする磁気ディスク装置。
【請求項１３】
請求項１２に記載の磁気ディスク装置において、
前記ベース部材の４つの隅部のそれぞれに対して脱着可能に取り付けられる４つの前記カバー支持部材を有し、
前記各カバー支持部材は、前記ベース部材の４つの前記隅部から内方に延伸する上面を有し、前記上面は前記カバー部材を支持する前記支持部を構成している、
ことを特徴とする磁気ディスク装置。
【請求項１４】
請求項１３に記載の磁気ディスク装置において、
前記カバー部材は略矩形を呈し、
前記カバー部材は、前記各カバー支持部材の外周を越えることのないように設けられるとともに前記各カバー支持部材の前記上面によって支持される隅部を有し、
前記シール部材は前記各カバー支持部材の前記上面に取り付けられている、
ことを特徴とする磁気ディスク装置。
【請求項１５】
請求項１２に記載の磁気ディスク装置において、
前記シール部材は前記少なくとも１つの支持部の一部に取り付けられている、
ことを特徴とする磁気ディスク装置。
【発明の詳細な説明】
【技術分野】
【０００１】
本発明は、小型、薄型の磁気ディスク装置に関し、特に密封方式に関する。
【背景技術】
【０００２】
ハードディスク等の磁気ディスク装置では、回転する磁気ディスク媒体上に、磁気ヘッドを浮上させ、この磁気ヘッドを用いて、磁気ディスク媒体に対してのデータの記録や、磁気ディスク媒体からのデータの再生を行っている。一般に、磁気ヘッドと磁気ディスク媒体との間の浮上高を小さくすればするほど記録密度が高くなる。そこで近年の大容量化、または大容量小型化の要求のもとで、記録密度向上のため、浮上高さは低くなっている。
【０００３】
このため磁気ディスクアセンブリ（ＨＤＡ）などを格納する筐体内を浮遊する塵など、浮上高よりも大きい粒子が侵入しないよう、筐体内と外とで仕切る必要がある。
【０００４】
そこで従来から、筐体を構成するカバー部材とベース部材との隙間をガスケットで封止する方法や、カバー部材とベース部材との間隙をリボン状ないしシート状のシール部材を用いてシールする方法が用いられている。例えば図７に、リボン状のシール部材を用いて筐体のベース部材３０とカバー部材３１との間隙を封止した場合の磁気ディスク装置を示す。また、そのＡ−Ａ断面を図８に示す。
【０００５】
ベース部材３０の開口周縁部３０ａは、カバー部材３１に嵌り込むように形成されており、ベース部材３０をカバー部材３１に嵌め込む。そしてベース部材３０とカバー部材３１との隙間を、リボン状のシール部材３２を巻き回して封止する。ここでベース部材３０の底部の外周よりも、開口周縁部３０ａの外周は、カバー部材３１を嵌め込むために幅ｄだけ小さい。そしてさらに、磁気ディスク装置としては、シール部材３２の幅ｆを含んでいる。
【０００６】
また、ベース部材の開口周縁部にフランジを形成しておき、ベース部材の開口を覆うように板状のカバー部材を載置し、カバー部材を覆い、フランジとカバー部材との隙間を封止するシート状のシール部材を貼付けることで、筐体を封止するものがある（図９）。このシール方式においても、磁気ディスク装置の高さはシール部材の厚みを含んでいる。
【発明の開示】
【発明が解決しようとする課題】
【０００７】
しかしながら、上記従来のシールの方法によると、例えばリボン状のシール部材を用いる例では、開口周縁部３０ａの外周よりも、ベース部材３０の底部が幅広に形成されるため、ベース部材３０の収容量に対してサイズが大きくなる。ここで磁気ディスク装置をさらに小型化、薄型化すると、シール部材を貼付できる面積が狭小となり、貼付けが困難となる。また、フランジを形成する例では、フランジのサイズだけ磁気ディスク装置の筐体が大きくなる。
【０００８】
すなわち、磁気ディスク装置の小型化、薄型化により、図８においては磁気ディスク装置の幅ｗ、高さｈが小さく、薄くなることで、密封性の確保する為に必要な幅Ｌを確保することが難しくなる。また、小型化を進める場合、筐体の側面部分の強度を十分保つことは難しい。
【０００９】
本発明は、上記課題に鑑みてなされたもので、その目的の一つは、磁気ディスク装置の小型化を促進するとともに、筐体内に外からの空気が直接入り込まない状態を維持できる磁気ディスク装置を提供することにある。
【課題を解決するための手段】
【００１０】
上記従来例の問題点を解決するための本発明は、上面の少なくとも一部が開口したベース部材と、前記ベース部材に設置されたスピンドルモータと、前記スピンドルモータにより回転駆動され、情報を記録するための一枚もしくは複数枚の磁気ディスクと、前記磁気ディスクとの間で情報の記録、再生を行う磁気ヘッドと、前記磁気ヘッドの位置決めを行う磁気ヘッドアセンブリと、前記ベース部材に固定され、前記スピンドルモータ、前記磁気ディスク、前記磁気ヘッド、前記磁気ヘッドアセンブリを収容する空間を形成するカバー部材と、を有する磁気ディスク装置において、前記カバー部材の上面と前記ベース部材の側面とに被着され、前記ベース部材と前記カバー部材との間隙をシールするシート状のシール部材とを備えることを特徴とする。
【発明を実施するための最良の形態】
【００１１】
本発明の実施の形態に係る磁気ディスク装置について図面を参照しながら説明する。本実施の形態の磁気ディスク装置１は、図１に示すように、上面の少なくとも一部が開口した箱状のベース部材３と、ベース部材３に収容される磁気ディスクアセンブリＨＤＡを覆い隠す板状のカバー部材５とを有している。
【００１２】
ここでベース部材３は、平面視した状態で角丸の矩形状をなし、その四隅の部分には、それぞれカバー部材５を支持する支持部３ａ、３ｂ、３ｃ、３ｄが、開口内方に向かって形成されている。カバー部材５は、この支持部上に載置される。また、ベース部材３には、磁気ディスクアセンブリＨＤＡが収容され、カバー部材５によって覆い隠される。
【００１３】
本実施の形態では、ベース部材３の側壁外面の少なくとも一部と、カバー部材５の上面とにシート状のシール部材７を被着してベース部材３とカバー部材５との間隙をシールする。例えば、シール部材７は、図２にその平面視状態を示すように、ベース部材３の上面形状に合わせて角丸の矩形状をなして、カバー部材５に被着されるカバー被着部７１と、ベース部材３の四隅の各支持部にそれぞれ被着される支持部被着部７２ａ，７２ｂ，７２ｃ，７２ｄと、折り曲げられてベース部材３の四方の側面外壁にそれぞれ被着される、側面被着部７３ａ，７３ｂ，７３ｃ，７３ｄと、を有する。なお、図２では、カバー部材５の形状を破線にて図示している。
【００１４】
つまり、本実施の形態の磁気ディスク装置は、図３にその斜視図を示すように、ベース部材３の開口が板状のカバー部材５に覆われ、シート状のシール部材７によって、カバー部材５の上面からベース部材３の側面に亘ってシールされている。
【００１５】
このようにしたことで、シール部材７の貼付される面積を確保でき、すなわち図８における幅ｄをベース部材３の側面厚みｔの範囲で設けなくてよい事となり、ベース部材３の剛性、強度の低下を防ぎ、ベース部材３の形状を単純化しベース部材３やシール部材７の製造を容易にできる。また板状のカバー部材５が利用できるようになって、嵌め合いのためにベース部材３の開口周縁部の面積が、その底部面積に比べて小さくなることがない。さらに、フランジ等を設ける必要もなく、磁気ディスク装置を小型化できる。
【００１６】
また、ここではベース部材にカバー部材の支持部を形成する例について述べたが、カバー部材は、ベース部材とは別体に成形した支持部材を利用して、支持することとしてもよい。この場合のベース部材３′は、図４に示すように、例えば板金により形成した箱状体である。また、支持部材９は、図５に示すように、平面視においてベース部材３′の角部に合わせて角丸に形成した略三角形の部材であり、ベース部材３′の角部に嵌め込むことができるように形成されている。また、その本体は、弾性を有する樹脂等によって成型して、この支持部材９を介して受ける衝撃を緩和できるようにしてもよい。
【００１７】
さらにその上面９１と、底面との少なくとも一方の、角部に近い側には角部の形状に沿って、凸部９３が形成されてもよい。この凸部９３は、支持部材９の底面に設けた場合は、磁気ディスク装置の脚として作用する。また、上面９１に設けた場合は、カバー部材５が容易に移動することを防止する壁として作用して、この壁の位置より外周にカバー部材５が移動するのを規制する。
【００１８】
具体的な例として、この支持部材９をベース部材３′に取り付けた状態を、図６に示す。この例では、支持部材９の上面９１がカバー部材５の支持部となり、カバー部材５は、これら支持部材９の上面９１によって支持される。
【００１９】
この場合も、図２に示したシール部材７によって、カバー部材５の上面からベース部材３′の側面に亘ってシールする。
【００２０】
なお、この筐体には、一枚もしくは複数枚の磁気ディスク媒体、磁気ヘッド、磁気ヘッドアセンブリ、スピンドルモータ、ボイスコイルモータ、及び回路部を含む磁気ディスクアセンブリが収納される。ここで磁気ディスク媒体は、スピンドルモータによって回転駆動され、情報を記録する。磁気ヘッドは、磁気ディスク媒体上で浮上し、ボイスコイルモータによって駆動され、磁気ディスク媒体との間で情報の記録又は再生を行う。磁気ヘッドアセンブリは、磁気ヘッドの位置決めを行う。回路部は、ホストに接続されて、ホストから入力されるデータ記録指示に従い、ボイスコイルモータを制御して磁気ヘッドを磁気ディスク媒体のデータの記録位置に移動し、磁気ヘッドに信号を供給して、磁気ディスク媒体上にデータを磁気記録する。
【００２１】
また、ホスト側からの読み出し指示に従い、ボイスコイルモータを制御して磁気ヘッドを磁気ディスク媒体のデータの記録位置に移動し、磁気ヘッドが磁気ディスク媒体から読み出した信号に基づいて読み出しデータを生成してホストへ出力する。
【図面の簡単な説明】
【００２２】
【図１】本発明の実施の形態に係る磁気ディスク装置の構造を表す斜視図である。
【図２】本発明の実施の形態に係る磁気ディスク装置に用いられるシール部材の例を表す平面図である。
【図３】本発明の実施の形態に係る磁気ディスク装置の外観を表す斜視図である。
【図４】本発明の実施の形態に係る磁気ディスク装置に用いられるベース部材の別の例を表す斜視図である。
【図５】本発明の実施の形態に係る磁気ディスク装置においてカバー部材を支持する支持部材の例を表す斜視図である。
【図６】本発明の実施の形態に係る磁気ディスク装置の別の外観例を表す斜視図である。
【図７】磁気ディスク装置の外観例を表す斜視図である。
【図８】磁気ディスク装置の筐体部分の例を表す断面図である。
【図９】磁気ディスク装置の別の外観例を表す斜視図である。
【符号の説明】
【００２３】
１  磁気ディスク装置、３，３′  ベース部材、５  カバー部材、７  シール部材、９  支持部材。
【図１】
0004624209.tif 000002
【図２】
0004624209.tif 000003
【図３】
0004624209.tif 000004
【図４】
0004624209.tif 000005
【図５】
0004624209.tif 000006
【図６】
0004624209.tif 000007
【図７】
0004624209.tif 000008
【図８】
0004624209.tif 000009
【図９】
0004624209.tif 000010